(57)【要約】      （修正有）【課題】サンドウィッチを特徴的な図形に形成することができ、さらに具が露出しなくなるサンドウィッチメーカーを提供する。【解決手段】食パンを収容できる底部２を有した受け型１と、底部２に開口させた特徴図形に形成した図形穴４と、図形穴４の周辺に立設した受け型側切断部５と、受け型側切断部５に延設した内フランジ状の受け型側挟圧部６と、受け型１の枠部３の内側に挿入する押し型と、押し型に立設した押し型側切断部と、押し型側切断部に延設した内フランジ状の押し型側挟圧部と、を備え、食パンの周辺を切断をすると共に、食パンを挟圧して周辺を接着するものである。【選択図】図１
0003149825.tif 000002
【実用新案登録請求の範囲】
【請求項１】
２枚の食パンと具を用いてサンドウィッチを作るメーカーであって、前記食パンを収容できる底部と該底部の外周辺に立設した枠部とを有した矩形皿状の受け型と、該受け型の前記底部に開口させた特徴図形に形成した図形穴と、該図形穴の周辺に沿って立設した受け型側切断部と、該受け型側切断部に延設した内フランジ状の受け型側挟圧部と、前記受け型の前記枠部の内側に挿入する平板矩形状の押し型と、該押し型の下面に立設した押し型側切断部と、前記押し型側切断部に延設した内フランジ状の押し型側挟圧部と、を備え、前記押し型側切断部の内側面は前記受け型側切断部の外側面に嵌入させて食パンの周辺を切断をすると共に、前記押し型側挟圧部の頂面は前記受け型側挟圧部の頂面と間隔を有して相対させ食パンを挟圧して周辺を接着することを特徴とするサンドウィッチメーカー。
【考案の詳細な説明】
【技術分野】
【０００１】
本考案は、２枚の食パンと具を用いてサンドウィッチを作るメーカーに関するものであり、更に詳細には、手作りでは容易に作ることができない、花びら形や、星形、ハート形、円形等の特徴図形に外形を形成でき、且つ、周辺を袋綴じ状態とするサンドウィッチを各家庭で容易に作ることを可能としたメーカーに関するものである。
【背景技術】
【０００２】
従来、この種のサンドウィッチを家庭で作る場合は、一枚の食パンの上にハムやチーズ、卵、野菜等の具を置いて、その上にもう一枚の食パンを置いて軽く押さえていたが、具の厚みにより２枚の食パンの周辺の間は隙間が空いたままで、具が露出しており食べる時に注意をしないと食パンの間から具が落ちたりするもので、また、形も矩形のままや、斜めに切った三角形状だけのもので、何の変哲もないものであった。
【０００３】
その為に、先に開示されているものは、パン圧着成型器１００は、第一の容器１１０と、第二の容器１２０と、相互に所定の位置関係になるように第一の容器と第二の容器とを重ね合わせる位置決め手段１１２、１２２と、からなる。第一の容器の底面１１１からは、一定の閉じた領域を囲む外壁１１３が直立しており、第二の容器の底面１２１からは、前記領域と同一形状の領域を囲む外壁１２３が直立している。第二の容器と第一の容器とを相互に重ね合わせたときには、位置決め手段により、第一の容器の外壁の頂部と第二の容器の外壁の頂部とは相互に接触し合い、双方の間に挟まれたパンが裁断されるもの（特許文献１参照）や、下端開口縁を抜き刃部１ａに形成されたパンＷや食材Ｍを型抜き可能な型抜き筒体１と、型抜き筒体の上端開口縁に嵌着された蓋体２と、蓋体に摺動自在に挿通されたピストン心棒３と、型抜き筒体内を摺動自在にしてピストン心棒の下端部に設けられた押下板４と、ピストン心棒の上端部に設けられた押下摘子５とからなるもの（特許文献２参照）や、２枚の食パンａを重ねて載置するトレイ２には、所定の形状の抜き型３が着脱可能に配置され、上記抜き型３は中央に開口部４０が形成され、該開口部４０の外側には成型枠４１が周設され、該成型枠４１の端面の外周側には切断部４１ａが、内周側には押圧部４１ｂが形成され、上記トレイ２の前端にトレイ２上に載せた食パンａの一部を押さえる、押さえ板３３を回動可能に設け、上記玩具本体には、上記トレイ２を玩具本体の入口から出口まで搬送する搬送機構Ａが設けられ、該搬送機構Ａは上記トレイ２上の食パンａをトレイ２の搬送中に上記抜き型３に押し付ける押し付け部材１５を備えたもの（特許文献３参照）等が開示されている。
【特許文献１】実用新案登録第３１４６６００号公報
【特許文献２】特開平８−２４３０３５号公報
【特許文献３】特開２００６−６４４６号公報
【考案の開示】
【考案が解決しようとする課題】
【０００４】
然し乍ら、前述の開示されている特許文献１では、パンを圧着成型するもので、二つの容器を重ね合わすことにより、具の周囲のパンが切断されると共に押さえられ閉じた状態と成るものであるが、構造が複雑で、サンドウィッチと言うよりもおむすび形状に仕上がるもので、何の変哲もないものであり、更に、特許文献２では、形態的に変化に富んだサンドウィッチを提供するものであるが、パンの型抜き器であって、周辺からは中の具が露出しており、食す時に注意を必要とするものであり、特許文献３では、同様に具の周辺が閉じて図形状のサンドウィッチができるものであるが、構造が複雑で高価なものとなるものである。
【課題を解決するための手段】
【０００５】
本考案は前記課題に鑑み、鋭意研鑽の結果、これらの課題を解決するもので、食パンを用いてサンドウィッチを作るメーカーであって、食パンを収容できる底部と立設した枠部とを有した矩形皿状の受け型と、受け型の底部に開口させた特徴図形に形成した図形穴と、図形穴の周辺に沿って立設した受け型側切断部と、受け型側切断部に延設した内フランジ状の受け型側挟圧部と、受け型の枠部の内側に挿入する平板矩形状の押し型と、押し型の下面に立設した押し型側切断部と、押し型側切断部に延設した内フランジ状の押し型側挟圧部と、を備え、押し型側切断部の内側面は受け型側切断部の外側面に嵌入させて食パンの周辺を切断をすると共に、押し型側挟圧部の頂面は受け型側挟圧部の頂面と間隔を有して相対させ食パンを挟圧して周辺を接着するものである。
【考案の効果】
【０００６】
前述の如く構成した本考案のサンドウィッチメーカーは、受け型と押し型との簡単な構造であり、受け型に特徴図形の図形穴を開口させたことにより、花びら形や、星形、ハート形、丸形等の形状のサンドウィッチが作られ、更に、受け型と押し型とに受け型側切断部と押し型側切断部とを備えたことにより、食パンの耳部が切り落とされると同時に、受け型側挟圧部と押し型側挟圧部とを備えたことにより、サンドウィッチの周辺が挟圧され接着し閉じられることにより、袋綴じ状態の具の露出がないもので食べやすいサンドウィッチを容易に誰でもが作ることを可能としたもので、画期的で実用性の高い有効な考案である。
【考案を実施するための最良の形態】
【０００７】
以下、本考案のサンドウィッチメーカーの実施の形態を図面によって具体的に説明すると、図１は本考案のサンドウィッチメーカーの実施例の受け型の斜視図であり、図２は本考案のサンドウィッチメーカーの実施例の押し型の底面の斜視図であり、図３は本考案のサンドウィッチメーカーの実施例の要部拡大説明図である。
【０００８】
本考案は、２枚の食パンと具を用いてサンドウィッチを作るメーカーに関するものであり、更に詳細には、手作りでは容易に作ることができない、花びら形や、星形、ハート形、円形等の特徴図形に外形を形成でき、且つ、周辺を袋綴じ状態とするサンドウィッチを各家庭で容易に作ることを可能としたメーカーに関するものであり、２枚の食パンと具を用いてサンドウィッチを作るメーカーであって、前記食パンを収容できる底部２と該底部２の外周辺に立設した枠部３とを有した矩形皿状の受け型１と、該受け型１の前記底部２に開口させた特徴図形に形成した図形穴４と、該図形穴４の周辺に沿って立設した受け型側切断部５と、該受け型側切断部５に延設した内フランジ状の受け型側挟圧部６と、前記受け型１の前記枠部３の内側に挿入する平板矩形状の押し型７と、該押し型７の下面に立設した押し型側切断部８と、前記押し型側切断部８に延設した内フランジ状の押し型側挟圧部９と、を備え、前記押し型側切断部８の内側面８ａは前記受け型側切断部５の外側面５ａに嵌入させて食パンの周辺を切断をすると共に、前記押し型側挟圧部９の頂面９ａは前記受け型側挟圧部６の頂面６ａと間隔を有して相対させ食パンを挟圧して周辺を接着することを特徴とするものである。
【実施例】
【０００９】
本考案のサンドウィッチメーカーで作るサンドウィッチは、市販されている食パンを用いるもので、一般的には一枚の食パンは１２０ｍｍ×１３０ｍｍのもので、厚みは５〜１０ｍｍ程度のものであり、間に挟む具はハム、卵、チーズ等一般的にサンドウィッチに使用できる具で有れば何でも構わないものである。
【００１０】
そして、受け型１は、図１に図示するように、食パンを収容できる矩形状の底部２と、底部２の４方の外周辺に立設した枠部３とを有した矩形皿状のものであり、中央には後述する特徴図形の図形穴４が開口しているものである。
【００１１】
次に、図形穴４の特徴図形とは、花びら形や、星の形、ハート形、円形等のことで、包丁やナイフでは切り出せない任意な形をした図形穴４であり、底部２に大きく開口させているものである。
【００１２】
次いで、受け型側切断部５は、図形穴４の図形の周辺に沿って垂直壁状に立設したもので、後述する押し型側切断部８と協働して食パンの外周を切断するものである。
【００１３】
更に、受け型側挟圧部６は、受け型側切断部５の頂部から一定幅の内フランジ状に延設したものであり、後述する押し型側挟圧部９と協働して食パンの周辺を挟圧するもので、更には、内側には補強片１０を垂直状に延設しているものである。
【００１４】
そして、押し型７は、図２に図示するように、受け型１の枠部３の内側に挿入する平板状のもので、つまり、矩形皿状の受け型１に挿入すると枠部３の内側と押し型７の外周とが接触して位置合わせができる矩形状のものである。
【００１５】
次に、押し型側切断部８は、押し型７の下面に立設しているもので、受け型１の受け型側切断部５の外側面に沿った形状に形成されており、つまり、押し型側切断部８の内側面８ａが受け型側切断部５の外側面５ａに嵌入するように形成して、剪断により食パンの外周辺を切断するものである。
【００１６】
次に、押し型側挟圧部９は、受け型１に形成した一定幅の受け型側挟圧部６と同形状に形成された押し型側切断部８の側部から延設された一定幅の内フランジ状のもので、受け型側挟圧部６の頂部６ａと押し型側挟圧部９の頂部９ａとの間に一定間隔の隙間を設け、サンドウィッチの外周辺を挟圧することで食パンの外周辺を接着させて袋綴じ状態とするものである。
【００１７】
本考案のサンドウィッチメーカーの使用方法は、先ず、受け型１をテーブル等の上に載置して、枠部３の中に一枚の食パンを挿入するもので、次いで、一枚の食パンの上に適当な具を載置して、その上から、もう一枚の食パンを載置して、押し型７を上方から被せて押圧するものである。
【００１８】
そうすると、受け型１に立設した受け型側切断部５の外側面５ａが押し型７の下面に立設した押し型側切断部８の内側面８ａに嵌入して剪断作用により、２枚の食パンの外周辺を切断すると同時に、内フランジ状の受け型側挟圧部６と内フランジ状の押し型側挟圧部９とは接近するものであるが、夫々の頂面６ａ．９ａの間には予め間隙を有しており、具を挟んだ状態の２枚の食パンの外周辺を挟圧して接着するものである。
【００１９】
そして、押し型７を取り外すと、特徴図形に沿って形成されている受け型側切断部５と押し型側切断部８とで切断されたサンドウィッチは特徴図形と成り、その外周辺は受け型側挟圧部６と押し型側挟圧部９との挟圧により接着されているサンドウィッチができるものである。
【産業上の利用可能性】
【００２０】
本考案のサンドウィッチメーカーは、受け型と押し型との簡易な構造であり、受け型と押し型とに特徴図形の図形穴を開口させたことにより、花びら形や、星形、ハート形、丸形等の形状のサンドウィッチが作られ、更に、受け型と押し型とに受け型側切断部と押し型側切断部とを備えたことにより、食パンの耳部が切り落とされると同時に、受け型側挟圧部と押し型側挟圧部とを備えたことにより、サンドウィッチの周辺が挟圧され閉じられることにより、袋綴じ状態の具の露出がないもので食べやすいサンドウィッチを容易に誰でもが作ることを可能としたサンドウィッチパックメーカーの提供である。
【図面の簡単な説明】
【００２１】
【図１】図１は本考案のサンドウィッチメーカーの実施例の受け型の斜視図である。
【図２】図２は本考案のサンドウィッチメーカーの実施例の押し型の底面の斜視図である。
【図３】図３は本考案のサンドウィッチメーカーの実施例に要部拡大説明図である。
【符号の説明】
【００２２】
１      受け型
２      底部
３      枠部
４      図形穴
５      受け型側切断部
５ａ    外側面
６      受け型側挟圧部
６ａ    頂面
７      押し型
８      押し型側切断部
８ａ    内側面
９      押し型側挟圧部
９ａ    頂面
１０    補強片
【図１】
0003149825.tif 000003
【図２】
0003149825.tif 000004
【図３】
0003149825.tif 000005